(57)【要約】【課題】  カレンダーに表示されている登録情報が指定する電話番号等の発信先に発信するときの操作性の向上を図ることができる移動体通信端末を提供する。【解決手段】  カレンダーに表示されている登録情報を選択すると、その登録情報で指定された発信先に対して自動発信する。例えば、カレンダー上の電話番号をポイントして選択し、所定のキーを押下すると、音声通話用のアプリケーションが起動し、選択された電話番号に対して音声通話の自動発信を行う。カレンダー上のメールアドレスを選択すると、電子メール送受信用アプリケーションが起動し、上記選択されたメールアドレス宛に電子メールを送信するように自動発信する。また、カレンダー上のＵＲＬを選択すると、そのＵＲＬのＷＥＢページにアクセスように自動発信する。【選択図】  図５
2007142999.tif 000002
【特許請求の範囲】
【請求項１】
カレンダーを表示可能な表示手段と、該カレンダーの日付ごとに表示される登録情報を記憶する記憶手段とを備えた移動体通信端末であって、
該カレンダーに表示されている登録情報を選択するように操作可能な操作手段と、
発信先を指定する登録情報が選択されたとき、該発信先に対して自動発信するように制御する通信制御手段と、を備えたことを特徴とする移動体通信端末。
【請求項２】
請求項１の移動体通信端末において、
上記登録情報は、音声通話先又はメッセージ送信先の電話番号又は該電話番号が関連付けられた発信先情報であり、
上記通信制御手段は、該登録情報が選択されたとき、音声通話用アプリケーション又はメッセージ送受信用アプリケーションを起動することを特徴とする移動体通信端末。
【請求項３】
請求項１の移動体通信端末において、
上記登録情報は、電子メールのアドレス又は該アドレスが関連付けられた発信先情報であり、
上記通信制御手段は、該登録情報が選択されたとき、電子メール送受信用アプリケーションを起動することを特徴とする移動体通信端末。
【請求項４】
請求項１の移動体通信端末において、
上記登録情報は、ＷＥＢページのＵＲＬ又は該ＵＲＬが関連付けられた発信先情報であり、
上記通信制御手段は、該登録情報が選択されたとき、ＷＥＢページ閲覧用アプリケーションを起動することを特徴とする移動体通信端末。
【発明の詳細な説明】
【技術分野】
【０００１】
本発明は、携帯電話機等の移動体通信端末に関するものである。
【背景技術】
【０００２】
従来、カレンダー表示可能な携帯電話機等の移動体通信端末が知られている。この移動体通信端末では、カレンダーの日付ごとに情報を登録して表示することができる。このカレンダーの登録情報としては、移動体通信端末から発信することができる発信先の電話番号、メールアドレス、ＵＲＬ（Uniform Resource Locator）などを登録する場合がある。
【発明の開示】
【発明が解決しようとする課題】
【０００３】
しかしながら、上記従来の移動体通信端末では、上記カレンダーに登録情報として登録され表示されている電話番号、メールアドレス、ＵＲＬ等に発信するときの操作性が悪いという問題点があった。例えば、上記カレンダーに表示されている電話番号に対して電話をかけたりショートメッセージを送信したりするときは、カレンダー表示を一旦終了させる操作及び発信先の電話番号を入力する操作を行う必要がある。かかる一連の操作を行わないと、上記所定の電話番号に電話をかけて所望の相手と音声通話を開始したり、上記所定の電話番号にショートメッセージを送信したりすることができない。また、上記カレンダーに表示されているメールアドレスに対して電子メールを送信するときは、カレンダー表示を一旦終了させる操作、メーラを起動する操作、及びメールアドレスを入力する操作を行う必要がある。かかる一連の操作を行わないと、上記所定のメールアドレスに電子メールを送信することができない。また、上記カレンダーに表示されているＵＲＬに対してアクセスするときは、カレンダー表示を一旦終了させる操作、ブラウザを起動する操作、及びＵＲＬを入力する操作を行う必要がある。かかる一連の操作を行わないと、上記所定のＵＲＬにアクセスして所望のＷＥＢページを表示することができない。
【０００４】
本発明は以上の問題点に鑑みなされたものであり、その目的は、カレンダーに表示されている登録情報が指定する電話番号等の発信先に発信するときの操作性の向上を図ることができる移動体通信端末を提供することである。
【課題を解決するための手段】
【０００５】
上記目的を達成するために、請求項１の発明は、カレンダーを表示可能な表示手段と、該カレンダーの日付ごとに表示される登録情報を記憶する記憶手段とを備えた移動体通信端末であって、該カレンダーに表示されている登録情報を選択するように操作可能な操作手段と、発信先を指定する登録情報が選択されたとき、該発信先に対して自動発信するように制御する通信制御手段と、を備えたことを特徴とするものである。
また、請求項２の発明は、請求項１の移動体通信端末において、上記登録情報は、音声通話先又はメッセージ送信先の電話番号又は該電話番号が関連付けられた発信先情報であり、上記通信制御手段は、該登録情報が選択されたとき、音声通話用アプリケーション又はメッセージ送受信用アプリケーションを起動することを特徴とするものである。
また、請求項３の発明は、請求項１の移動体通信端末において、上記登録情報は、電子メールのアドレス又は該アドレスが関連付けられた発信先情報であり、上記通信制御手段は、該登録情報が選択されたとき、電子メール送受信用アプリケーションを起動することを特徴とするものである。
また、請求項４の発明は、請求項１の移動体通信端末において、上記登録情報は、ＷＥＢページのＵＲＬ又は該ＵＲＬが関連付けられた発信先情報であり、上記通信制御手段は、該登録情報が選択されたとき、ＷＥＢページ閲覧用アプリケーションを起動することを特徴とするものである。
【０００６】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末における制御は、その移動通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００７】
請求項１乃至４の発明によれば、利用者が操作手段を操作することにより、カレンダーに表示されている発信先を指定する登録情報を選択することができる。この登録情報の選択により、その発信先に対して自動発信するように制御される。従って、カレンダーに表示されている登録情報が指定する電話番号等の発信先に発信するときの操作性の向上を図ることができるという効果がある。
特に、請求項２の発明によれば、音声通話先又はメッセージ送信先の電話番号、又はその電話番号が関連付けられた発信先情報が選択されると、音声通話用アプリケーション又はメッセージ送受信用アプリケーションが起動し、上記所定の電話番号に対して自動発信するように制御される。従って、カレンダーに表示されている発信先の電話番号に発信して音声通話を開始したりメッセージを送信したりするときの操作性の向上を図ることができるという効果がある。
特に、請求項３の発明によれば、電子メールのアドレス、又はそのアドレスが関連付けられた発信先情報が選択されると、電子メール送受信用アプリケーションが起動し、上記所定のアドレスに対して、所定のメッセージを含む電子メールを自動発信するように制御される。従って、カレンダーに表示されている発信先のアドレスに発信して電子メールを送信するときの操作性の向上を図ることができるという効果がある。
特に、請求項４の発明によれば、ＷＥＢページのＵＲＬ、又はそのＵＲＬが関連付けられた発信先情報が選択されると、ＷＥＢページ閲覧用アプリケーションが起動し、上記所定のＵＲＬに対してＷＥＢページを閲覧する要求を自動発信するように制御される。従って、カレンダーに表示されている発信先のＵＲＬに発信してＷＥＢページを閲覧するときの操作性の向上を図ることができるという効果がある。
【発明を実施するための最良の形態】
【０００８】
以下、本発明を移動体通信端末としての携帯電話機に適用した実施形態について説明する。
図１は本発明の実施形態に係る携帯電話機１０を用いて音声通話、メッセージ送受信、電子メール送受信及びＷＥＢページ閲覧を行うための通信システムの一例を示す概略構成図である。この通信システムは、複数の携帯電話機１０と、移動体通信ネットワークとしての携帯電話通信網２０とを備えている。
携帯電話通信網２０は、基地局２０１、交換機（回線交換機、パケット交換機）２０２、ショートメッセージサービスセンター（ＳＭＳＣ）２０３、大容量データ転送システム（ＤＡＳ）２０４、メールゲートウェイシステム２０５、ウェブゲートウェイシステム２０６、情報配信装置２０７等を備えている。また、携帯電話機１０によるパケット通信を可能にするために、データ通信用接続制御手段としてのアクセス制御システム２１０、及びＩＰネットワーク（パケット通信網）２１１も備えている。ＩＰネットワーク（パケット通信網）２１１には、パケット通信による各種サービスを提供するために、メールサーバ２１２、ウェブサーバ２１３及びゲートウェイサーバ２１４等が接続されている。これらの携帯電話通信網２０を構成する構成要素の間や、携帯電話通信網２０と他の通信ネットワーク（公衆回線網３０、インターネット４０）との間は、有線又は無線の伝送媒体で結ばれている。
【０００９】
上記交換機２０２は、図示しない位置登録データベース（ＨＬＲ，ＶＬＲ）、加入者データベース、課金システム等が接続され、各携帯電話機間における通信を中継するように通信制御を行う。更に、交換機２０２は、各携帯電話機と、携帯電話通信網２０内の構成要素（ショートメッセージサービスセンター２０３、大容量データ転送システム２０４、情報配信装置２０７、アクセス制御システム２１０等）との間における通信を中継するように通信制御を行う。また、交換機２０２は、各携帯電話機と、他の公衆回線網３０との間における通信を中継するように通信制御を行う。
【００１０】
例えば、図１において、交換機２０２は、図中の利用者Ａの携帯電話機１０から利用者Ｂ宛の電話の発呼（呼び出し）があった場合に、携帯電話機１０からの発呼信号を中継し利用者Ｂの携帯電話機１０’に転送するように通信制御を行う。利用者Ａからの発呼に利用者Ｂが応答して着呼した後、交換機２０２は、携帯電話機１０，１０’間で通話用の通信回線を確立し両者間の通話用の通信を中継するように通信制御を行う。また、図中の利用者Ａの携帯電話機１０から利用者Ｂ宛のメール送信があった場合に、携帯電話機１０からのメールデータを中継し、ショートメッセージサービスセンター２０３や大容量データ転送システム２０４を介して、メールゲートウェイシステム２０５に接続されている図示しないメールサーバ（ポストオフィス）に転送するように通信制御を行う。更に、利用者Ａからのメールのすべてのデータを受信できていない場合に残りのメールデータを受信するときは、利用者Ｂの携帯電話機１０’とメールサーバ（ポストオフィス）との間のメールデータ送受信のための通信を中継するように通信制御する。
【００１１】
上記ショートメッセージサービスセンター２０３及び大容量データ転送システム２０４は、上記交換機２０２と、メールゲートウェイシステム２０５及びウェブゲートウェイシステム２０６との間に接続され、携帯電話機１０と両ゲートウェイシステム２０５、２０６との間のデータ送受信のための処理や、携帯電話機１０とのセッション制御を行う。特に、ショートメッセージサービスセンター２０３を配信ベアラとして使用した場合は、文字数制限付きのテキストからなるＳＭＳメール等の小容量のデータ通信を効率的に行うことができる。また、上記大容量データ転送システム２０４を配信ベアラとして使用した場合は、ショートメッセージサービス（ＳＭＳ）では困難であった長文のメール、画像データあるいは音楽データ等の大容量データを携帯電話機１０に転送することが容易になる。
【００１２】
上記メールゲートウェイシステム２０５は、インターネット４０及びメール蓄積のための図示しないメールサーバ（ポストオフィス）に接続され、メールデータ等の転送制御を行なう。また、ウェブゲートウェイシステム２０６は、携帯電話機１０からインターネット４０上のウェブサイトなどのアクセスするときのデータ転送制御を行う。
【００１３】
上記情報配信装置２０７は、情報サービス提供元（ＩＰ／ＳＰ）から取得したテキスト、音楽、画像、アプリケーションプログラム等の情報（コンテンツ）が蓄積されている。そして、情報配信装置２０７は、所定のタイミングで携帯電話機１０に対して上記各種情報を配信したり、携帯電話機１０の利用者からの要求に応じて上記各種情報を配信したりする。
【００１４】
上記アクセス制御システム２１０は、携帯電話機１０から交換機（パケット交換機）２０２を介して所定のＵＲＬのデータ通信先へ接続するときに、論理回線を確立してパケットをルーティングするようにデータ通信を制御する。例えば、携帯電話機１０からの要求に応じて、ＩＰネットワーク２１１に接続されたメールサーバ２１２やウェブサーバ２１３と携帯電話機１０との間で論理回線を確立し、両者の間でパケットメールやウェブページのデータをルーティングするようにデータ通信を制御する。また、携帯電話機１０からインターネット４０上のＷＷＷサーバへアクセスするときは、ＩＰネットワーク２１１内でルーティングされたパケットが、ファイヤーウォールを構成するプロキシサーバなどからなるゲートウェイサーバ２１４を介してインターネット４０側とやり取りされる。
【００１５】
図２は本発明の実施形態に係る携帯電話機の概略構成の一例を示すブロック図である。図３は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６、計時手段としての時計部１２７とを備えている。上記制御手段及び上記通信手段は、カレンダーに表示されている発信先を指定する登録情報が選択されたとき、該発信先に対して自動発信するように制御する通信制御手段として機能する。
【００１６】
上記主制御部１２０は、例えばＣＰＵ、キャッシュメモリ、ＲＯＭ、システムバス等で構成され、所定の制御プログラムを実行することにより、内部メモリ１２１や無線通信部１２２、時計部１２７等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、データ入力キー（テンキー、＊キー、＃キー）１０３、通話開始キー１０４、終話キー１０５、スクロールキー１０６、多機能キー１０７等で構成されたキー操作部１２６も接続されている。
【００１７】
上記内部メモリ１２１は、例えばＲＡＭやＲＯＭなどの半導体メモリで構成され、主制御部１２０で実行する制御プログラムや各種データを記憶するものである。また、この内部メモリ１２１は、表示部１２５に表示するカレンダーの日付ごとに表示される登録情報を記憶する記憶手段としても用いられる。なお、これらの記憶手段としては、上記内部メモリ１２１ではなく、携帯電話機本体に着脱可能なメモリーカード、ＩＣカード等の記憶媒体を用いてもよい。
【００１８】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存している画像等が表示される。
【００１９】
図４（ａ）〜（ｃ）は、表示部１２５のディスプレイ１１０に表示されるカレンダー画像を例示する説明図である。図４（ａ）は、特定の月について一覧表示した月表示のカレンダーの例である。この月表示のカレンダー画像１１０ａにおいて、背景がグレーになっている日は、スケジュール、メモ、発信先情報（電話番号、メールアドレス、ＵＲＬ）などの登録情報が書き込まれている日である。この日のいずれかを選択して所定のキーを押下すると（図示の例では１０月３日）、図４（ｂ）のような１日分の日表示のカレンダー画像１１０ｂが表示される。この日表示のカレンダー画像を個別表示する代わりに、図４（ｃ）に示すようにディスプレイの画面を上下方向に分割し、月表示のカレンダー画像１１０ａの下に、利用者が選択した日の日表示のカレンダー画像１１０ｂを表示するようにしてもよい。
【００２０】
上記カレンダーへの発信先情報は、アドレス帳、メール本文、ＷＥＢページ、配信情報等からコピー＆ペーストを使って登録することができる。また、上記アドレス帳などの表示画面で登録対象の情報を選択した状態で所定のキーを押下し、日付データを入力することにより、カレンダーの所定の日にちに自動登録されるようにしてもよい。
【００２１】
上記スピーカ１０９は、音信号処理部１２３でデジタル信号から変換されたアナログ信号が入力され、通話中の音声を出力したり、メールの着信音、電話の呼び出し音、音楽などを出力したりする。なお、上記スピーカ１０９は、図４に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００２２】
上記キー操作部１２６は、利用者が通話開始、終話、メニュー選択、画面切り換え等を指示したり情報を入力したりするときに用いられる。また、このキー操作部１２６は、カレンダーに表示されている登録情報を選択するように操作可能な操作手段としても用いられる。
【００２３】
上記時計部１２７は、正確な日時を計数し、更新処理等のための時刻情報を生成する。上記マイク１０８は、利用者の音声を電気信号（アナログ信号）に変換する。マイク１０８から出力される音声の電気信号（アナログ信号）は、音信号処理部１２３に入力され、デジタル信号に変換される。なお、マイク１０８は、上記カレンダーに表示されている登録情報を選択する手段として用いることもできる。この場合、利用者が上記登録情報を選択するように発した音声が、マイク１０８によって入力される。主制御部１２０は、このマイクで入力された利用者の音声信号について音声認識処理を実行することにより利用者が発した音声を認識し、利用者がどの登録情報を選択したかを判断することができる。
【００２４】
図５は、カレンダーに表示された電話番号宛に音声通話を開始するように自動発信するときの通信制御処理のフローチャートである。まず、利用者は、携帯電話機１０のキー操作部１２６のキーを操作し、ディスプレイ１１０に図４（ｂ）のような日表示のカレンダー画像を表示させる（Ｓ１０１）。そして、この日表示のカレンダー画像上で利用者が電話番号「０４５−１２３−４５６７」をポイントして「通話」アイコンに対応する所定キーを押下する（Ｓ１０２）。この操作により、音声通話用アプリケーションが起動し（Ｓ１０３）、上記所定の電話番号に対して自動発信する（Ｓ１０４）。この場合は、音声通話用アプリケーションを起動する操作や電話番号を入力する操作が不要となり、カレンダー表示から音声通話を開始するときの操作性が向上する。
【００２５】
図６は、カレンダーに表示された電話番号宛にショートメッセージ（ＳＭＳ）を自動発信するときの通信制御処理のフローチャートである。まず、利用者は、携帯電話機１０のキー操作部１２６のキーを操作し、ディスプレイ１１０に図４（ｂ）のような日表示のカレンダー画像を表示させる（Ｓ２０１）。そして、この日表示のカレンダー画像上で利用者が電話番号「０４５−１２３−４５６７」をポイントして「ＳＭＳ」アイコンに対応する所定キーを押下する（Ｓ２０２）。この操作により、メッセージ（ＳＭＳ）送受信用アプリケーションが起動する（Ｓ２０３）。このメッセージ送受信用アプリケーションが起動した状態で、利用者が任意のメッセージ文章を入力した後、メッセージ送信用の所定キーを押下すると（Ｓ２０４）、上記所定の電話番号に対してメッセージ（ＳＭＳ）を自動発信する（Ｓ２０５）。この場合は、メッセージ送受信用アプリケーションを起動する操作や電話番号を入力する操作が不要となり、カレンダー表示からメッセージ（ＳＭＳ）を送信するときの操作性が向上する。
【００２６】
なお、上記図４（ｂ）の例では、カレンダーの登録情報として電話番号そのものが表示されているが、その電話番号が関連付けられたテキスト（例えば発信先の氏名）やアイコン等の発信先情報を表示し、その発信先情報を利用者が選択するように操作してもよい。
【００２７】
図７は、カレンダーに表示されたアドレス宛に電子メールを自動発信するときの通信処理のフローチャートである。まず、利用者は、携帯電話機１０のキー操作部１２６のキーを操作し、ディスプレイ１１０に図４（ｂ）のような日表示のカレンダー画像を表示させる（Ｓ３０１）。そして、この日表示のカレンダー画像上で利用者がアドレス「ａａａ＠ｂｂｂ．ｃｃｃ」をポイントして「選択」アイコンに対応する所定キーを押下する（Ｓ３０２）。この操作により、電子メール送受信用アプリケーション（メーラ）が起動する（Ｓ３０３）。この電子メール送受信用アプリケーションが起動した状態で、利用者が任意のメッセージ文章を入力したりファイルを添付したりした後、電子メール送信用の所定キーを押下すると（Ｓ３０４）、上記所定のアドレスに対して電子メールを自動発信する（Ｓ３０５）。この場合は、電子メール送受信用アプリケーションを起動する操作やメールアドレスを入力する操作が不要となり、カレンダー表示から電子メールを送信ときの操作性が向上する。
【００２８】
なお、上記図４（ｂ）の例では、カレンダーの登録情報として電子メールアドレスそのものが表示されているが、そのアドレスが関連付けられたテキスト（例えば発信先の氏名）やアイコン等の発信先情報を表示し、その発信先情報を利用者が選択するように操作してもよい。
【００２９】
図８は、カレンダーに表示されたＵＲＬ宛にアクセスしてＷＥＢページを閲覧するように自動発信するときの通信処理のフローチャートである。まず、利用者は、携帯電話機１０のキー操作部１２６のキーを操作し、ディスプレイ１１０に図４（ｂ）のような日表示のカレンダー画像を表示させる（Ｓ４０１）。そして、この日表示のカレンダー画像上で利用者がＵＲＬ「http://xxx.yyy.zzz」をポイントして「選択」アイコンに対応する所定キーを押下する（Ｓ４０２）。この操作により、ＷＥＢページ閲覧用アプリケーション（ブラウザ）が起動し（Ｓ４０３）、上記所定のＵＲＬに対してＷＥＢページを要求するＨＴＴＰリクエストを自動発信する（Ｓ４０４）。そして、上記所定のＵＲＬのＷＥＢから所望のＷＥＢページのデータをＨＴＴＰレスポンスとして受信し（Ｓ４０５）、受信したＷＥＢページをディスプレイ１１０上に表示する（Ｓ４０６）。この場合は、ＷＥＢページ閲覧用アプリケーションを起動する操作やＵＲＬを入力する操作が不要となり、カレンダー表示からＷＥＢページを閲覧するときの操作性が向上する。
【００３０】
なお、上記図４（ｂ）の例では、カレンダーの登録情報としてＵＲＬそのものが表示されているが、そのＵＲＬが関連付けられたテキスト（例えば発信先の氏名）やアイコン等の発信先情報を表示し、その発信先情報を利用者が選択するように操作してもよい。
【図面の簡単な説明】
【００３１】
【図１】本発明の実施形態に係る携帯電話機１０を用いて音声通話等を行うための通信システムの一例を示す概略構成図。
【図２】同携帯電話機の概略構成の一例を示すブロック図。
【図３】同携帯電話機の外観構成の一例を示す正面図。
【図４】（ａ）〜（ｃ）はそれぞれディスプレイに表示されるカレンダー画像を例示する説明図。
【図５】カレンダーに表示された電話番号宛に音声通話を開始するように自動発信するときの通信制御処理のフローチャート。
【図６】カレンダーに表示された電話番号宛にショートメッセージ（ＳＭＳ）を自動発信するときの通信制御処理のフローチャート。
【図７】カレンダーに表示されたアドレス宛に電子メールを自動発信するときの通信処理のフローチャート。
【図８】カレンダーに表示されたＵＲＬ宛にアクセスしてＷＥＢページを閲覧するように自動発信するときの通信処理のフローチャート。
【符号の説明】
【００３２】
１０    携帯電話機
１０３〜１０６  キー
１０７ａ〜１０７ｃ  キー
１１０  ディスプレイ
１１２  アンテナ
１２０  主制御部
１２１  内部メモリ
１２２  無線通信部
１２５  表示部
１２６  キー操作部
【図１】
2007142999.tif 000003
【図２】
2007142999.tif 000004
【図３】
2007142999.tif 000005
【図５】
2007142999.tif 000006
【図６】
2007142999.tif 000007
【図７】
2007142999.tif 000008
【図８】
2007142999.tif 000009
【図４】
2007142999.tif 000010